(57)【要約】【課題】各種入力作業を容易かつ迅速化し各種情報の表示も可能にして使用上の便宜性を極大化した多機能キーパッド用表示装置及びこれを有する電子機器を提供する。【解決手段】多機能キーパッド用表示装置は、非表示領域１３１を境に表示領域１３２が複数の行と列を有して形成された表示パネル１３０と、その上に位置し、表示領域に対応して複数の行と列を有する開口が形成され、非表示領域に対応して各開口の一側に複数の行と列を有するキー１４３ａ〜ｄが形成され、キーのうち少なくとも二列のキーは二列の開口の間に形成され、少なくとも二列のキーは二列の開口の外に形成された回路基板１４０と、その上に位置して各開口に対応する領域に透明ウインドウ１５２が形成され、上記各透明ウインドウの外周縁としてキーに対応する領域に加圧部１５３が形成されたパッド１５０を含むことを特徴とする。【選択図】図１ｂ
2008269605.tif 000002
【特許請求の範囲】
【請求項１】
非表示領域を境界に表示領域が複数の行と列を有して形成される表示パネルと、
前記表示パネルの上に位置し、前記表示領域に対応するように複数の行と列を有する開口が形成され、前記非表示領域に対応して前記各開口の一側に複数の行と列を有するキーが形成され、前記キーのうち少なくとも二行のキーは二行の開口の間に形成され、前記キーのうち少なくとも二行のキーは二行の開口の外に形成される回路基板と、
前記回路基板の上に位置し、前記各開口に対応する領域に透明ウインドウが形成され、前記各透明ウインドウの外周縁として前記キーに対応する領域に加圧部が形成されるパッドとを含んでなることを特徴とする多機能キーパッド用表示装置。
【請求項２】
前記二行の開口の間に形成された二行のキーは、互いに対称な形態であることを特徴とする請求項１に記載の多機能キーパッド用表示装置。
【請求項３】
前記二行の開口の間に形成された二行のキーは、互いに非対称な形態であることを特徴とする請求項１に記載の多機能キーパッド用表示装置。
【請求項４】
前記二行の開口の外に形成された二行のキーは、互いに対称な形態であることを特徴とする請求項１に記載の多機能キーパッド用表示装置。
【請求項５】
前記二行の開口の外に形成された二行のキーは、互いに非対称な形態であることを特徴とする請求項１に記載の多機能キーパッド用表示装置。
【請求項６】
前記二行の開口の間に形成された二行のキーが有する列方向の距離と、前記二行の開口の外に形成された二行のキーが有する列方向の距離は相異なることを特徴とする請求項１に記載の多機能キーパッド用表示装置。
【請求項７】
前記二行の開口の間に形成された二行のキーは、互いに同一な列方向であることを特徴とする請求項１に記載の多機能キーパッド用表示装置。
【請求項８】
前記二行の開口の間に形成された二行のキーは、相異なる列方向であることを特徴とする請求項１に記載の多機能キーパッド用表示装置。
【請求項９】
前記二行の開口の外に形成された二行のキーは、互いに同一な列方向であることを特徴とする請求項１に記載の多機能キーパッド用表示装置。
【請求項１０】
前記二行の開口の外に形成された二行のキーは、相異なる列方向であることを特徴とする請求項１に記載の多機能キーパッド用表示装置。
【請求項１１】
前記パッドの加圧部は、面積が全部同一であることを特徴とする請求項１に記載の多機能キーパッド用表示装置。
【請求項１２】
前記パッドの加圧部は、面積が相異なることを特徴とする請求項１に記載の多機能キーパッド用表示装置。
【請求項１３】
前記パッドの加圧部は、行方向の長さが回路基板の開口が有する行方向の長さと同一であることを特徴とする請求項１に記載の多機能キーパッド用表示装置。
【請求項１４】
前記パッドの加圧部は、行方向の長さが回路基板の開口が有する行方向の長さより小さいことを特徴とする請求項１に記載の多機能キーパッド用表示装置。
【請求項１５】
前記回路基板に形成されたキーは、ドームスイッチであることを特徴とする請求項１に記載の多機能キーパッド用表示装置。
【請求項１６】
前記キーは、前記表示パネルの非表示領域に対応する領域に形成された導電パターンと、前記導電パターンに接触及び分離可能な弾性部材からなることを特徴とする請求項１に記載の多機能キーパッド用表示装置。
【請求項１７】
前記表示パネルは、前記表示領域のみに画素が形成されることを特徴とする請求項１に記載の多機能キーパッド用表示装置。
【請求項１８】
前記表示パネルは、前記表示領域のみに画素が形成される受動マトリックス有機電界発光表示パネルと、能動マトリックス有機電界発光表示パネル及び液晶表示パネルのうち選択されたいずれか１つであることを特徴とする請求項１に記載の多機能キーパッド用表示装置。
【請求項１９】
前記表示パネルは、前記表示領域に電気的に連結されたデータドライバーと、前記表示領域に電気的に連結された走査ドライバーとを含んでなることを特徴とする請求項１に記載の多機能キーパッド用表示装置。
【請求項２０】
前記パッドは、絶縁層と、前記絶縁層上に形成された金属層と、前記金属層上に前記キーに対応する領域に形成された加圧部からなることを特徴とする請求項１に記載の多機能キーパッド用表示装置。
【請求項２１】
前記加圧部は、外部に突出して形成されることを特徴とする請求項１に記載の多機能キーパッド用表示装置。
【請求項２２】
前記パッドの上部には、前記パッドが固定されるようにカバーが搭載されることを特徴とする請求項１に記載の多機能キーパッド用表示装置。
【請求項２３】
請求項１乃至請求項２３のいずれか１つに記載の多機能キーパッド用表示装置を含んでなることを特徴とする電子機器。
【請求項２４】
前記多機能キーパッド用表示装置に電気的及び機械的に連結されたメイン表示パネルを含んでなることを特徴とする請求項２３に記載の電子機器。
【発明の詳細な説明】
【技術分野】
【０００１】
本発明は、多機能キーパッド用表示装置に関し、より詳しくは、各種の入力作業を容易かつ迅速に行うことができるのみならず、各種情報のディスプレーも可能な多機能キーパッド用表示装置及びこれを有する電子機器に関する。
【背景技術】
【０００２】
一般に、電子機器（例えば、移動通信端末機）は、各種命令を容易に入力するためにキーパッド装置を含む。一例として、上記パッド装置は各キーごとに文字、数字または特殊記号などがあらかじめ割当られ、使用者は上記パッドを操作することによって、電話発信、電話受信、文字入力及び文字送信のような各種機能を上記電子機器において適切に行えるようにする。
【０００３】
ところが、このような従来のキーパッド装置は、各キーごとに固有の文字、数字または特殊記号などが既に固定されているために、最近の多様かつ複雑な機能を行う電子機器に好適ではないという短所がある。
【０００４】
例えば、各キーごとに所定文字が既に固定されて割当てられているので、移動通信端末機のグローバルローミング（ｇｌｏｂａｌ  ｒｏａｍｉｎｇ）時に文字入力が難しいとか不可能であるという短所がある。
【０００５】
また、移動通信端末機でＭＰ３機能やカメラ機能などを利用しようとする時、多い回数のキー操作がなされるために、ＭＰ３機能やカメラ機能を用いることに不便さがあるという問題がある。即ち、ユーザーインターフェース（ｕｓｅｒ  ｉｎｔｅｒｆａｃｅ）の深みが深いことで、キー操作が不便かつ難しい。ところで、上記ユーザーインターフェイスの深みとは、使用者が目的とする表示を得るために必要な操作回数の度合いを意味している。従って、深みが深いとは、その操作回数が多いことを意味し、深みが浅いとは、操作回数が少ないことを意味している。
【０００６】
一方、このような問題を解決するためにキーパッド装置として、タッチスクリーン（ｔｏｕｃｈ  ｓｃｒｅｅｎ）を採択する技術が研究されている。しかし、このようなタッチスクリーンは、使用者によるタッチ（ｔｏｕｃｈ）或いはキークリック（ｋｅｙ  ｃｌｉｃｋ）時に加圧感がほとんどなく、従って、命令が正確に入力できないとか、または同一な命令が何回も入力されるなどの短所がある。尚、このようなタッチスクリーンでキーパッド装置を製造する場合、タッチスクリーン全体に形成された画素に電源が供給されるために、高消費電力のみならず、高製造コストとなるという短所がある。
【発明の開示】
【発明が解決しようとする課題】
【０００７】
本発明は、従来の問題点を解決するためになされたものであって、その目的は、各種入力作業を容易かつ迅速に行うことができ、また各種情報のディスプレー機能もある多機能キーパッド用表示装置及びこれを有する電子機器を提供することにある。
【０００８】
本発明の他の目的は、文字、数字、特殊記号、停止映像または動画などを使用者の選択によって様々に変更して表示することができる多機能キーパッド用表示装置及びこれを有する電子機器を提供することにある。
【０００９】
本発明の他の目的は、小消費電力のみならず、低製造コストの多機能キーパッド用表示装置及びこれを有する電子機器を提供することにある。
【課題を解決するための手段】
【００１０】
上述の目的を達成するために本発明による多機能キーパッド用表示装置は、非表示領域を境界にして表示領域が複数の行と列を有して形成された表示パネルと、上記表示パネルの上に位置し、上記表示領域に対応するように複数の行と列を有する開口が形成されて上記非表示領域に対応して上記各開口の一側に複数の行と列を有するキー（ｋｅｙ）が形成され、上記キーのうち少なくとも二行のキーは二行の開口の間に形成されて上記キーのうち少なくとも二行のキーは二行の開口の外に形成された回路基板と、上記回路基板上に位置し、上記各開口に対応する領域に透明ウインドウが形成されて上記各透明ウインドウの外周縁として上記キーに対応する領域に加圧部が形成されたパッドとを含むことができる。
【００１１】
また、本発明による電子機器は、非表示領域を境界にして表示領域が複数の行と列を有して形成された表示パネルと、上記表示パネルの上に位置して上記表示領域に対応するように複数の行と列を有する開口が形成され、上記非表示領域に対応して上記各開口の一側に複数の行と列を有するキー（ｋｅｙ）が形成されて、上記キーのうち少なくとも二行のキーは二行の開口の間に形成されて上記キーのうち少なくとも二行のキーは二行の開口の外に形成された回路基板と、上記回路基板の上に位置して上記各開口に対応する領域に透明ウインドウが形成されて上記各透明ウインドウの外周縁として上記キーに対応する領域に加圧部が形成されたパッドからなる多機能キーパッド用表示装置とを含むことができる。
【００１２】
上記のように本発明による多機能キーパッド用表示装置及びこれを有する電子機器は、各種入力作業を容易かつ迅速に行うのみならず、各種情報のディスプレーもできるので、これを採用した電子機器の使用が非常に容易であり利便性に優れていて便宜性を極大化できる。
【００１３】
また、上記のように本発明による多機能キーパッド用表示装置及びこれを有する電子機器は、文字、数字、特殊記号、停止映像または動画などを使用者の選択によって様々に変更して表示することができる。
【００１４】
また、上記のように本発明による多機能キーパッド用表示装置及びこれを有する電子機器は、小消費電力かつ低製造コストが得られる。
【発明の効果】
【００１５】
本発明による多機能キーパッド用表示装置及びこれを有する電子機器は、各種入力作業を容易かつ迅速に行うのみならず、各種情報のディスプレーもできるので、これを採用した電子機器の使用が非常に容易であり利便性に優れていて便宜性を極大化できる。
【００１６】
また、上記のように本発明による多機能キーパッド用表示装置及びこれを有する電子機器は、文字、数字、特殊記号、停止映像または動画などを使用者の選択によって様々に変更して表示することができる。
【００１７】
また、上記のように本発明による多機能キーパッド用表示装置及びこれを有する電子機器は、小消費電力かつ低製造コストが得られる。
【発明を実施するための最良の形態】
【００１８】
以下、本発明の属する技術分野の通常の知識を有する者が容易に実施できるように、この発明の実施形態について図面に基づいて説明する。
【００１９】
図１ａには、本発明の一実施形態による多機能キーパッド用表示装置の組立外観の斜視図が示され、図１ｂにはその分解斜視図が示されている。
【００２０】
図１ａ及び図１ｂに示すように、本発明による多機能キーパッド用表示装置１００は、ケース１１０と、上記ケース１１０に搭載されるメイン回路基板１２０と、上記メイン回路基板１２０の上部に搭載される表示パネル１３０と、上記表示パネル１３０の上部に搭載される回路基板１４０と、上記回路基板１４０の上部に搭載されるパッド１５０と、上記パッド１５０の上部に搭載されるカバー１６０とを含む。
【００２１】
上記ケース１１０は、底面１１１と、上記底面１１１の端の側部に一定高さに形成された複数の側壁１１２とを含む。このようなケース１１０は、プラスチック樹脂、金属及びその等価物の中から選択されたいずれか１つによって形成できるが、ここでその材質が限定されるものではない。また、上記ケース１１０には、上記メイン回路基板１２０と、上記表示パネル１３０と、上記回路基板１４０と、上記パッド１５０及び上記カバー１６０が順次に搭載できる。勿論、このようなケース１１０には、上記メイン回路基板１２０と、上記表示パネル１３０及び上記回路基板１４０などに電力供給のためのバッテリーがさらに装着できるが、このようなバッテリーは図面に省略されている。
【００２２】
上記メイン回路基板１２０は、ほぼ四角板形状の基板体１２１と、上記基板体１２１にマウントされる複数の能動素子１２２と、複数の受動素子１２３と、接続端子または中継端子もしくはリード配線としてのフレキシブルな第１軟性印刷回路１２４と、コネクター１２５とを含む。このようなメイン回路基板１２０は、上記表示パネル１３０と、上記回路基板１４０または下記する電子機器のメイン表示パネルに電気信号を供給または供給される役割を有する。ここで、上記第１軟性印刷回路１２４は、上記回路基板１４０と電気的に接続でき、また上記コネクター１２５には下記する表示パネル１３０に接続される接続端子または中継端子もしくはリード配線としてのフレキシブルな第２軟性印刷回路１３３が電気的に接続できる。
【００２３】
上記表示パネル１３０は、非表示領域１３１を境界として、複数の表示領域１３２がほぼマトリックス（ｍａｔｒｉｘ）状に配列されてなる。勿論、上記表示パネル１３０の一側には、上記メイン回路基板１２０のコネクター１２５に電気的に連結される第２軟性印刷回路１３３が電気的に連結される。また、上記表示パネル１３０は、外部衝撃によって損傷されないように樹脂または金属からなるベゼル１３４で下面及び側面が包まれる。ここで、上記表示パネル１３０に形成された表示領域１３２は、図面では１２個にて示されているが、このような個数に本発明が限定されるものではない。即ち、上記表示領域１３２は、表示パネル１３０でさらに多く、またはさらに小さい個数で形成可能である。更に、上記表示パネル１３０に形成された表示領域１３２は、図面では四角形態にて示されているが、このような形態に本発明が限定されるものではない。即ち、上記表示領域１３２は、円型、三角形、五角形、六角形など様々な形態が可能である。このような表示領域１３２は、使用者の選択によって文字、数字、特殊記号、停止映像または動画を自由に変化させて出力することによって、ユーザーインターフェース（ｕｓｅｒ  ｉｎｔｅｒｆａｃｅ）が浅くなり、それによって操作が容易になる。勿論、上記表示領域１３２の外側に形成された非表示領域１３１には、いずれの映像も出力されないので、消費電力が最小化される。即ち、上記表示パネル１３０のうち表示領域１３２には、所定色（赤色、緑色、青色またはその混合色）の光を出力するように画素が形成され、上記非表示領域１３１には光を出力することができないように画素が形成されないこともある。従って、上記表示パネル１３０のうち実質的に上記画素が形成された表示領域１３２のみ電力が消費され、上記画素が形成されない非表示領域１３１では電力がほとんど消費されない。このような表示パネル１３０は、一例として、受動マトリックス有機電界発光表示パネルと、能動マトリックス有機電界発光表示パネルと、液晶表示パネル及びその等価表示装置の中から選択されたいずれか１つであることができるが、ここでその表示パネル１３０の種類が限定されるものではない。上記受動マトリックス有機電界発光表示パネルと、上記能動マトリックス有機電界発光表示パネル及び上記液晶表示パネルについて、以下でより詳しく説明する。
【００２４】
上記回路基板１４０は、上記表示パネル１３０のうち上記表示領域１３２に対応する領域に開口１４２が形成された基板体１４１と、上記開口１４２の一側として上記非表示領域１３１に対応する領域に形成されたキー１４３からなる。ここで、上記開口１４２は、透明樹脂と、透明ガラス及びこの等価物の中から選択されたいずれか１つによって閉塞される。従って、上記表示パネル１３０の表示領域１３２は、外部環境からさらに積極的に隔離できる。また、上記回路基板１４０には、上記表示パネル１３０の表示領域１３２に対応しない領域にも複数のキー１４４が形成される。即ち、上記開口１４２に対応しない領域にも複数のキー１４４が形成される。このような回路基板１４０は、上記第１軟性印刷回路１２４によって上記メイン回路基板１２０に電気的に連結される。よって、上記回路基板１４０に備えられたキー１４３、１４４の操作信号は、上記第１軟性印刷回路１２４を介して上記メイン回路基板１２０に適切に伝達することができる。
【００２５】
上記回路基板１４０に形成された開口１４２とキー１４３の配列関係をより詳しく説明する。上記回路基板１４０には、ほぼ第１方向の第１行の開口１４２ａと、ほぼ第１方向の第２行の開口１４２ｂと、ほぼ第１方向の第３行の開口１４２ｃと、ほぼ第１方向の第４行の開口１４２ｄが順次に配列され。尚、このような開口１４２ａ、１４２ｂ、１４２ｃ、１４２ｄは、ほぼ第２方向の第１列、ほぼ第２方向の第２列及びほぼ第２方向の第３列に配列される。ここで、上記第１方向と上記第２方向は、相互間ほぼ直角をなす。また、上記キー１４３は、上記各開口１４２ａ、１４２ｂ、１４２ｃ、１４２ｄに対応するように複数の行と列を有して配列される。即ち、上記回路基板１４０には、ほぼ第１方向の第１行のキー１４３ａと、ほぼ第１方向の第２行のキー１４３ｂと、ほぼ第１方向の第３行のキー１４３ｃと、ほぼ第１方向の第４行のキー１４３ｄが配列される。勿論、上記第１行のキー１４３ａは、第１行の開口１４２ａに対応することができる。また、上記第２行のキー１４３ｂは、第２行の開口１４２ｂに対応することができる。また、上記第３行のキー１４３ｃは、第３行の開口１４２ｃに対応することができる。また、上記第４行のキー１４３ｄは、第４行の開口１４２ｄに対応することができる。
【００２６】
ここで、上記第１行のキー１４３ａと第２行のキー１４３ｂとの間には、第１行の開口１４２ａ及び第２行の開口１４２ｂが配列される。つまり、上記第１行の開口１４２ａと第２行の開口１４２ｂを中心に両方の外方向にそれぞれ第１行のキー１４３ａと第２行のキー１４３ｂが配列される。従って、上記第１行の開口１４２ａと第２行の開口１４２ｂは、第１行のキー１４３ａと第２行のキー１４３ｂが有する距離に比べて相対的にさらに近くなることができる。勿論、上記第１行のキー１４３ａと第２行のキー１４３ａは、上記第１行の開口１４２ａと第２行の開口１４２ｂが有する距離に比べて相対的にさらに遠くなることができる。
【００２７】
また、上記第２行の開口１４２ｂと第３行の開口１４２ｃとの間には、第２行のキー１４３ｂ及び第３行のキー１４３ｃが配列される。つまり、第２行のキー１４３ｂと第３行のキー１４３ｃを中心に両方の外方向にそれぞれ第２行の開口１４２ｂと第３行の開口１４２ｃが配列される。従って、上記第２行のキー１４３ｂと第３行のキー１４３ｃは、上記第２行の開口１４２ｂと第３行の開口１４２ｃが有する距離に比べて相対的にさらに近くなることができる。勿論、上記第２行の開口１４２ｂと第３行の開口１４２ｃは、上記第２行のキー１４３ｂと第３行のキー１４３ｃが有する距離に比べて相対的にさらに遠くなることができる。
【００２８】
また、上記第３行のキー１４３ｃと第４行のキー１４３ｄとの間には、第３行の開口１４２ｃ及び第４行の開口１４２ｄが配列される。つまり、第３行の開口１４２ｃと第４行の開口１４２ｄを中心に両方の外方向にそれぞれ第３行のキー１４３ｃと第４行のキー１４３ｄが配列される。従って、上記第３行の開口１４２ｃと第４行の開口１４２ｄは、第３行のキー１４３ｃ及び第４行のキー１４３ｄが有する距離に比べて相対的にさらに近くなることができる。勿論、上記第３行のキー１４３ｃと第４行のキー１４３ｄは、上記第３行の開口１４２ｃ及び第４行の開口１４２ｄが有する距離に比べて相対的にさらに遠くなることができる。
【００２９】
ここで、ほぼ第２方向の第１列の開口と、ほぼ第２方向の第２列の開口及びほぼ第２方向の第３列の開口は、全部同一な列方向を有することができる。また、上記ほぼ第２方向の第１列のキーも全部同一な列方向を有することができる。上記ほぼ第２方向の第２列のキーも全部同一な列方向を有することができる。上記ほぼ第２方向の第３列のキーも全部同一な列方向を有することができる。上述のようなキー１４３の構造は、以下、より詳しく説明する。
【００３０】
上記パッド１５０は、上記開口１４２に対応する領域（即ち、上記表示領域１３２に対応する領域）に透明ウインドウ１５２が形成されたパッド体１５１と、上記透明ウインドウ１５２の一側として上記キー１４３に対応する領域に形成された加圧部１５３とを含む。ここで、上記パッド１５０には、上記表示パネル１３０の表示領域１３２または回路基板１４０の開口１４２に対応しない領域にも複数の加圧部１５４がさらに形成される。即ち、上記回路基板１４０のキー１４４に対応する領域に複数の加圧部１５４が形成でき、このような加圧部１５４の表面には、陽刻、陰刻または印刷等の方法で所定文字、数字、特殊記号などがあらかじめ形成できる。また、上記透明ウインドウ１５２は、透明樹脂、透明ガラス及びその等価物の中から選択されたいずれか１つによって閉塞されることもできる。  このような構造のパッド１５０は、使用者が上記加圧部１５３、１５４を押したら、上記キー１４３、１４４が操作され、上記キー１４３、１４４の操作信号は第１軟性印刷回路１２４を介してメイン回路基板１２０に伝達される。上記加圧部１５３及びパッド１５０の断面構造は、以下でより詳しく説明する。
【００３１】
上記パッド１５０に形成された透明ウインドウ１５２及び加圧部１５３をより詳しく説明する。上記透明ウインドウ１５２は、ほぼ第１方向の第１行の透明ウインドウ１５２ａと、ほぼ第１方向の第２行の透明ウインドウ１５２ｂと、ほぼ第１方向の第３行の透明ウインドウ１５２ｃと、ほぼ第１方向の第４行の透明ウインドウ１５２ｄからなることができる。勿論、このような全ての透明ウインドウ１５２ａ、１５２ｂ、１５２ｃ、１５２ｄは、上述の回路基板１４０の開口１４２ａ、１４２ｂ、１４２ｃ、１４２ｄに対応する。また、上記加圧部１５３は、ほぼ第１方向の第１行の加圧部１５３ａと、ほぼ第１方向の第２行の加圧部１５３ｂと、ほぼ第１方向の第３行の加圧部１５３ｃと、ほぼ第１方向の第４行の加圧部１５３ｄからなることができる。勿論、このような全ての加圧部１５３ａ、１５３ｂ、１５３ｃ、１５３ｄは、上述の回路基板１４０のキー１４３ａ、１４３ｂ、１４３ｃ、１４３ｄに対応する。尚、上記加圧部１５３ａ、１５３ｂ、１５３ｃ、１５３ｄ及び上記透明ウインドウ１５２ａ、１５２ｂ、１５２ｃ、１５２ｄは、第１列と第２列及び第３列をなすことができる。
【００３２】
ここで、上記第１行の加圧部１５３ａと第２行の加圧部１５３ｂとの間には、第１行の透明ウインドウ１５２ａ及び第２行の透明ウインドウ１５２ａが配列される。つまり、第１行の透明ウインドウ１５２ａと第２行の透明ウインドウ１５２ｂを中心に両方の外方向にそれぞれ第１行の加圧部１５３ａと第２行の加圧部１５３ｂが配列される。従って、上記第１行の透明ウインドウ１５２ａと第２行の透明ウインドウ１５２ｂは、上記第１行の加圧部１５３ａ及び第２行の加圧部１５３ｂが有する距離に比べて相対的にさらに近くなることができる。勿論、上記第１行の加圧部１５３ａと第２行の加圧部１５３ｂは、上記第１行の透明ウインドウ１５２ａと第２行の透明ウインドウ１５２ｂが有する距離に比べて相対的にさらに遠くなることができる。
【００３３】
また、上記第２行の透明ウインドウ１５２ｂと第３行の透明ウインドウ１５２ｃとの間には、第２行の加圧部１５３ｂ及び第３行の加圧部１５３ｃが配列される。つまり、第２行の加圧部１５３ｂと第３行の加圧部１５３ｃを中心に両方の外方向にそれぞれ第２行の透明ウインドウ１５２ｂと第３行の透明ウインドウ１５２ｃが配列される。従って、上記第２行の加圧部１５３ｂと第３行の加圧部１５３ｃは、第２行の透明ウインドウ１５２ｂと第３行の透明ウインドウ１５２ｃが有する距離に比べてさらに近くなることができる。勿論、上記第２行の透明ウインドウ１５２ｂと第３行の透明ウインドウ１５２ｃは、上記第２行の加圧部１５３ｂと第３行の加圧部１５３ｃが有する距離に比べて相対的にさらに遠くなることができる。
【００３４】
また、上記第３行の加圧部１５３ｃと第４行の加圧部１５３ｄとの間には、第３行の透明ウインドウ１５２ｃ及び第４行の透明ウインドウ１５２ｄが配列される。つまり、第３行の透明ウインドウ１５２ｃと第４行の透明ウインドウ１５２ｄを中心に両方の外方向にそれぞれ第３行の加圧部１５３ｃと第４行の加圧部１５３ｄが配列される。従って、上記第３行の透明ウインドウ１５２ｃと第４行の透明ウインドウ１５２ｄは、相対的に第３行の加圧部１５３ｃ及び第４行の加圧部１５３ｄが有する距離に比べて相対的にさらに近くなることができる。勿論、上記第３行の加圧部１５３ｃと第４行の加圧部１５３ｄは、上記第３行の透明ウインドウ１５２ｃと第４行の透明ウインドウ１５２ｄが有する距離に比べて相対的にさらに遠くなることができる。
【００３５】
また、上記加圧部１５３は、全部同一な列方向を有する。即ち、ほぼ第２方向の第１列の加圧部は、お互いに同一な列方向を有し、ほぼ第２方向の第２列の加圧部もお互いに同一な列方向を有し、ほぼ第２方向の第３列の加圧部もお互いに同一な列方向を有する。また、上記加圧部１５３は全部同一な形態であることができる。即ち、上記加圧部１５３は、全部上記透明ウインドウ１５２が有する一辺の長さと同一な長さを有し、形態はほぼ直四角形であることができるが、ここで上記加圧部１５３の長さ及び形態が限定されるものではない。
【００３６】
上記のような構成によって本発明は、入力作業をさらに迅速かつ容易に行うことができる。即ち、相互間に関連が多い加圧部１５２を近接した位置に配列し、また相互間に関連が小さな加圧部１５２をお互いに遠く離隔させて配列することで、相互間に関連がある加圧部１５２の操作が非常に迅速かつ容易になる。例えば、文字に関連される加圧部１５２を一側に集中的に配列し、数字に関連される加圧部１５２を他側に集中的に配列すると、文字と数字をそれぞれさらに迅速かつ容易に入力できるようになる。
【００３７】
上記カバー１６０は、上記パッド１５０の開口１４２及び加圧部１５３に対応する領域にウインドウ１６２が形成されたカバー体１６１を含む。従って、上記カバー１６０のウインドウ１６２を介して上記表示パネル１３０の表示領域１３２が外部に露出され、使用者は上記カバー１６０のウインドウ１６２を介して露出された加圧部１５３を操作することによって、所定命令を入力することができるようになる。勿論、上記カバー１６０には、陰刻、陽刻または印刷などの方法であらかじめ所定文字などが形成されたパッド１５０の加圧部１５４が露出するように長形ウインドウ１６３が形成される。尚、上記ウインドウ１６２、１６３も透明樹脂、ガラス及びその等価物の中から選択されたいずれか１つによって閉塞できる。
【００３８】
図２ａには、本発明の他の実施形態による多機能キーパッド用表示装置の組立外観の斜視図が示され、図２ｂにはその分解斜視図が示されている。
【００３９】
示されたように本発明の他の実施形態による多機能キーパッド用表示装置２００は、上述の多機能キーパッド用表示装置１００と類似の構成を有する。従って、その差異部分を中心に説明する。
【００４０】
回路基板２４０には、各開口２４２に対応するように複数の行と列を有してキー２４３が配列される。即ち、上記回路基板２４０には、ほぼ第１方向の第１行のキー２４３ａと、ほぼ第１方向の第２行のキー２４３ｂと、ほぼ第１方向の第３行のキー２４３ｃと、ほぼ第１方向の第４行のキー２４３ｄが配列される。勿論、上記第１行のキー２４３ａは、第１行の開口２４２ａに対応することができる。上記第２行のキー２４３ｂは、第２行の開口２４２ｂに対応することができる。上記第３行のキー２４３ｃは、第３行の開口２４２ｃに対応することができる。上記第４行のキー２４３ｄは、第４行の開口２４２ｄに対応することができる。
【００４１】
ここで、上記第１行のキー２４３ａと第２行のキー２４３ｂとの間には、第１行の開口２４２ａ及び第２行の開口２４２ｂが配列される。つまり、第１行の開口２４２ａと第２行の開口２４２ｂを中心に両方の外方向にそれぞれ第１行のキー２４３ａと第２行のキー２４３ｂが配列される。よって、上記第１行の開口２４２ａと第２行の開口２４２ｂは、相対的にさらに近くなることができる。勿論、上記第１行のキー２４３ａと第２行のキー２４３ｂは、相対的にさらに遠くなることができる。
【００４２】
また、上記第２行の開口２４２ｂと第３行の開口２４２ｃとの間には、第２行のキー２４３ｂ及び第３行のキー２４３ｃが配列される。つまり、第２行のキー２４３ｂと第３行のキー２４３ｃを中心に両方の外方向にそれぞれ第２行の開口２４２ｂと第３行の開口２４２ｃが配列される。従って、上記第２行のキー２４３ｂと第３行のキー２４３ｃは、相対的にさらに近くなることができる。勿論、上記第２行の開口２４２ｂと第３行の開口２４２ｃは、相対的にさらに遠くなることができる。
【００４３】
ここで、上記第２行のキー２４３ｂと第３行のキー２４３ｃは、相異なる列方向を有することができる。例えば、上記第２行のキー２４３ｂと第３行のキー２４３ｃは、相互間に対角線または斜線方向に配列できる。勿論、上記第２行のキー２４３ｂは第２行の開口２４２ｂに対応し、上記第３行のキー２４３ｃは第３行の開口２４２ｃに対応する。このような構成によって上記第２行の開口２４２ｂと第３行の開口２４２ｃとの間に形成される距離を最小化することにより、入力作業がさらに容易になる。
【００４４】
また、上記第３行のキー２４３ｃと第４行のキー２４３ｄとの間には、第３行の開口２４２ｃ及び第４行の開口２４２ｄが配列される。つまり、第３行の開口２４２ｃと第４行の開口２４２ｄを中心に両方の外方向にそれぞれ第３行のキー２４３ｃと第４行のキー２４３ｄが配列される。従って、上記第３行の開口２４２ｃと第４行の開口２４２ｄは、相対的にさらに近くなることができる。勿論、上記第３行のキー２４３ｃと第４行のキー２４３ｄは、相対的にさらに遠くなることができる。
【００４５】
上述のように第１列のうち第１行及び第４行のキー２４３ａ、２４３ｄは、同一な列方向を有することができる。第２列のうち第１行及び第４行のキー２４３ａ、２４３ｄは、同一な列方向を有することができる。第３列のうち第１行及び第４行のキー２４３ａ、２４３ｄは、同一な列方向を有することができる。勿論、第１列と第２列及び第３列において、第２行及び第３行のキー２４３ｂ、２４３ｃは、相異なる列方向を有することができる。即ち、上記第２行及び第３行のキー２４３ｂ、２４３ｃは、いずれの列のキーとも列方向が重ならない。
【００４６】
パッド２５０には、加圧部２５３を構成するほぼ第１方向の第１行の加圧部２５３ａと、ほぼ第１方向の第２行の加圧部２５３ｂと、ほぼ第１方向の第３行の加圧部２５３ｃと、ほぼ第１方向の第４行の加圧部２５３ｄが配列される。透明ウインドウ２５２を構成するために、上記第１行の加圧部２５３ａに対応する第１行の透明ウインドウ２５２ａと、第２行の加圧部２５３ｂに対応する第２行の透明ウインドウ２５２ｂと、第３行の加圧部２５３ｃに対応する第３行の透明ウインドウ２５２ｃと、第４行の加圧部２５３ｄに対応する第４行の透明ウインドウ２５２ｄが形成される。尚、このような透明ウインドウ２５２ａ、２５２ｂ、２５２ｃ、２５２ｄは、ほぼ第２方向の第１列と第２列及び第３列をなすことができる。更に、第１列の透明ウインドウは、同一な列方向を有する。上記第２列の透明ウインドウも同一な列方向を有する。第３列の透明ウインドウも同一な列方向を有する。
【００４７】
ここで、上記第１行の加圧部２５３ａと第２行の加圧部２５３ｂとの間には、第１行の透明ウインドウ２５２ａ及び第２行の透明ウインドウ２５２ｂが配列される。つまり、第１行の透明ウインドウ２５２ａと第２行の透明ウインドウ２５２ｂを中心に両方の外方向にそれぞれ第１行の加圧部２５３ａと第２行の加圧部２５３ｂが形成される。従って、上記第１行の透明ウインドウ２５２ａと第２行の透明ウインドウ２５２ｂは、相対的にさらに近くなることができる。勿論、上記第１行の加圧部２５３ａと第２行の加圧部２５３ｂは、相対的にさらに遠くなることができる。
【００４８】
また、上記第２行の透明ウインドウ２５２ｂと第３行の透明ウインドウ２５２ｃとの間には、第２行の加圧部２５３ｂ及び第３行の加圧部２５３ｃが配列される。つまり、第２行の加圧部２５３ｂと第３行の加圧部２５３ｃを中心に両方の外方向にそれぞれ第２行の透明ウインドウ２５２ｂと第３行の透明ウインドウ２５２ｃが配列される。従って、上記第２行の加圧部２５３ｂと第３行の加圧部２５３ｃは、相対的にさらに近くなることができる。勿論、上記第２行の透明ウインドウ２５２ｂと第３行の透明ウインドウ２５２ｃは、相対的にさらに遠くなることができる。ここで、上記第２行の加圧部２５３ｂ及び第３行の加圧部２５３ｃは、長さが第１行の加圧部２５３ａ及び第４行の加圧部２５３ｄが有する長さのほぼ半分程度であることができる。つまり、上記第２行及び第３行の加圧部２５３ｂ、２５３ｃの有する面積は、上記第１行及び第４行の加圧部２５３ａ、２５３ｄが有する面積のほぼ半分程度であることができる。
【００４９】
また、上記第３行の加圧部２５３ｃと第４行の加圧部２５３ｄとの間には、第３行の透明ウインドウ２５２ｃ及び第４行の透明ウインドウ２５２ｄが形成される。つまり、第３行の透明ウインドウ２５２ｃと第４行の透明ウインドウ２５２ｄを中心に両方の外方向にそれぞれ第３行の加圧部２５３ｃと第４行の加圧部２５３ｄが形成される。従って、上記第３行の透明ウインドウ２５２ｃと第４行の透明ウインドウ２５２ｄは、相対的にさらに近くなることができる。勿論、上記第３行の加圧部２５３ｃと第４行の加圧部２５３ｄは、相対的にさらに遠くなることができる。
【００５０】
また、第１列のうち第１行及び第４行の加圧部２５３ａ、２５３ｄは、同一な列方向を有することができる。第２列のうち第１行及び第４行の加圧部２５３ａ、２５３ｄは、同一な列方向を有することができる。第３列のうち第１行及び第４行の加圧部２５３ａ、２５３ｄは、同一な列方向を有することができる。勿論、第２行及び第３行の加圧部２５３ｂ、２５３ｃは、相異なる列方向を有することができる。即ち、上記第２行及び第３行の加圧部２５３ｂ、２５３ｃは、上記第１行及び第４行の加圧部２５３ａ、２５３ｄと相異なる列方向を有する。
【００５１】
図３ａには、本発明の他の実施形態による多機能キーパッド用表示装置の組立外観の斜視図が示され、図３ｂにはその分解斜視図が示されている。
【００５２】
図示のように本発明の他の実施形態による多機能キーパッド用表示装置３００は、上述の多機能キーパッド用表示装置２００と類似の構成を有する。従って、その差異部分を中心に説明する。
【００５３】
回路基板３４０の開口３４２に対応するようにキー３４３が行と列を有して配列される。即ち、上記回路基板３４０には、第１行のキー３４３ａと、第２行のキー３４３ｂと、第３行のキー３４３ｃと、第４行のキー３４３ｄが配列される。勿論、上記第１行のキー３４３ａは、第１行の開口３４２ａに対応することができる。上記第２行のキー３４３ｂは、第２行の開口３４２ｂに対応することができる。上記第３行のキー３４３ｃは、第３行の開口３４２ｃに対応することができる。上記第４行のキー３４３ｄは、第４行の開口３４２ｄに対応することができる。
【００５４】
ここで、上記第１行の開口３４２ａと第２行の開口３４２ｂとの間には、第１行のキー３４３ａと第２行のキー３４３ｂが配列される。つまり、第１行のキー３４３ａと第２行のキー３４３ｂを中心に両方の外方向にそれぞれ第１行の開口３４２ａと第２行の開口３４２ｂが配列される。従って、上記第１行のキー３４３ａと第２行のキー３４３ｂは、相対的にさらに近くなることができる。勿論、上記第１行の開口３４２ａと第２行の開口３４２ｂは、相対的にさらに遠くなることができる。
【００５５】
また、上記第２行のキー３４３ｂと第３行のキー３４３ｃとの間には、第２行の開口３４２ｂ及び第３行の開口３４２ｃが形成される。つまり、第２行のキー３４３ｂと第３行のキー３４３ｃとの間にそれぞれ第２行の開口３４２ｂと第３行の開口３４２ｃが配列される。従って、上記第２行のキー３４３ｂと第３行のキー３４３ｃは、相対的にさらに遠くなることができる。勿論、上記第２行の開口３４２ｂと第３行の開口３４２ｃは、相対的にさらに近くなることができる。
【００５６】
また、上記第３行の開口３４２ｃと第４行の開口３４２ｄとの間には、第３行のキー３４３ｃ及び第４行のキー３４３ｄが配列される。つまり、第３行のキー３４３ｃと第４行のキー３４３ｄを中心に両方の外方向にそれぞれ第３行の開口３４２ｃと第４行の開口３４２ｄが配列される。従って、上記第３行のキー３４３ｃと第４行のキー３４３ｄは、相対的にさらに近くなることができる。勿論、上記第３行の開口３４２ｃと第４行の開口３４２ｄは、相対的にさらに遠くなることができる。
【００５７】
ここで、上記第１行のキー３４３ａと第３行のキー３４３ｃは、同一な列方向を有することができる。また、上記第２行のキー３４３ｂと第４行のキー３４３ｄは、同一な列方向を有することができる。尚、第１行及び第２行のキー３４３ａ、３４３ｂは、他の列方向を有することができる。また、第３行及び第４行のキー３４３ｃ、３４３ｄは、相異なる列方向を有することができる。実質的に、上記第１行のキー３４３ａと第２行のキー３４３ｂは、対角線または斜線の列方向を有することができる。また、上記第３行のキー３４３ｃと第４行のキー３４３ｄは、対角線または斜線の列方向を有することができる。
【００５８】
パッド３５０には、加圧部３５３を構成する第１行の加圧部３５３ａと、第２行の加圧部３５３ｂと、第３行の加圧部３５３ｃと、第４行の加圧部３５３ｄが配列される。透明ウインドウ３５２を構成するために、上記第１行の加圧部３５３ａに対応する第１行の透明ウインドウ３５２ａと、第２行の加圧部３５３ｂに対応する第２行の透明ウインドウ３５２ｂと、第３行の加圧部３５３ｃに対応する第３行の透明ウインドウ３５２ｃと、第４行の加圧部３５３ｄに対応する第４行の透明ウインドウ３５２ｄが形成される。尚、このような透明ウインドウ３５２ａ、３５２ｂ、３５２ｃ、３５２ｄは、ほぼ第２方向の第１列と、第２列及び第３列をなすことができる。更に、上記第１列の透明ウインドウは同一な列方向を有する。上記第２列の透明ウインドウも同一な列方向を有する。上記第３列の透明ウインドウも同一な列方向を有する。
【００５９】
ここで、上記第１行の透明ウインドウ３５２ａと第２行の透明ウインドウ３５２ｂとの間には、第１行の加圧部３５３ａ及び第２行の加圧部３５３ｂが配列される。つまり、第１行の透明ウインドウ３５２ａと第２行の透明ウインドウ３５２ｂを間に置いてそれぞれ第１行の加圧部３５３ａと第２行の加圧部３５３ｂが配列される。従って、上記第１行の透明ウインドウ３５２ａと第２行の透明ウインドウ３５２ｂは、相対的にさらに遠くなることができる。勿論、上記第１行の加圧部３５３ａと第２行の加圧部３５３ｂは、相対的にさらに近くなることができる。
【００６０】
また、上記第２行の加圧部３５３ｂと第３行の加圧部３５３ｃとの間には、第２行の透明ウインドウ３５２ｂ及び第３行の透明ウインドウ３５２ｃが配列される。つまり、第２行の加圧部３５３ｂと第３行の加圧部３５３ｃとの間にそれぞれ第２行の透明ウインドウ３５２ｂ及び第３行の透明ウインドウ３５２ｃが配列される。従って、上記第２行の透明ウインドウ３５２ｂと第３行の透明ウインドウ３５２ｃは、相対的にさらに近くなることができる。勿論、上記第２行の加圧部３５３ｂと第３行の加圧部３５３ｃは、相対的にさらに遠くなることができる。
【００６１】
また、上記第３行の透明ウインドウ３５２ｃと第４行の透明ウインドウ３５２ｄとの間には、第３行の加圧部３５３ｃ及び第４行の加圧部３５３ｄが配列される。つまり、第３行の加圧部３５３ｃと第４行の加圧部３５３ｄを中心に両方の外方向にそれぞれ第３行の透明ウインドウ３５２ｃと第４行の透明ウインドウ３５２ｄが配列される。従って、上記第３行の透明ウインドウ３５２ｃと第４行の透明ウインドウ３５２ｄは、相対的にさらに遠くなることができる。勿論、上記第３行の加圧部３５３ｃと第４行の加圧部３５３ｄは、相対的にさらに近くなることができる。
【００６２】
第１列のうち第１行及び第３行の加圧部３５３ａ、３５３ｃは、同一な列方向を有することができる。第２列のうち第１行及び第３行の加圧部３５３ａ、３５３ｃは、同一な列方向を有することができる。第３列のうち第１行及び第３行の加圧部３５３ａ、３５３ｃは、同一な列方向を有することができる。勿論、第１行及び第２行の加圧部３５３ａ、３５３ｂは相異なる列方向を有することができる。また、第３行及び第４行の加圧部３５３ｃ、３５３ｄも相異なる列方向を有することができる。
【００６３】
ここで、上記第１行、第２行、第３行及び第４行の加圧部３５３ａ、３５３ｂ、３５３ｃ、３５３ｄが有する第１方向の長さは、透明ウインドウ３５２ａ、３５２ｂ、３５２ｃ、３５２ｄが有する第１方向の長さのほぼ半分程度であることができる。即ち、第１行と第２行の透明ウインドウ３５２ａ、３５２ｂとの間に近接して第１行の加圧部３５３ａ及び第２行の加圧部３５３ｂが配列されることで、上記第１行及び第２行の加圧部３５３ａ、３５３ｂが有する第１方向の長さは透明ウインドウ３５２ａ、３５２ｂが有する第１方向の長さのほぼ半分程度であることができる。また、第３行と第４行の透明ウインドウ３５２ｃ、３５２ｄとの間に近接して第３行の加圧部３５３ｃ及び第４行の加圧部３５３ｄが配列されることで、上記第３行及び第４行の加圧部３５３ｃ、３５３ｄが有する第１方向の長さも上記透明ウインドウ３５２ｃ、３５２ｄが有する第１方向の長さのほぼ半分程度であることができる。
【００６４】
一方、上記パッド３５０の上には、カバー３６０が位置され、上記カバー３６０には上記透明ウインドウ３５２ａ、３５２ｂ、３５２ｃ、３５２ｄ及び加圧部３５３ａ、３５３ｂ、３５３ｃ、３５３ｄに対応する領域にウインドウ３６２が形成される。即ち、上記ウインドウ３６２は、上記透明ウインドウ３５２ａ、３５２ｂ、３５２ｃ、３５２ｄ及び加圧部３５３ａ、３５３ｂ、３５３ｃ、３５３ｄを全部含むようにほぼ四角形状の第１領域３６２ａと、上記第１領域３６２ａに連通された第２領域３６２ｂとを含んでなる。勿論、上記第１領域３６２ａは、上記パッド３５０のウインドウ３５２に対応し、上記第２領域３６２ｂは加圧部３５３に対応することができる。勿論、このような構成によって各ウインドウ３６２の境界をなすカバー体１６１は複数回折曲された形態を有する。
【００６５】
図４には、本発明による多機能キーパッド用表示装置のうちメイン回路基板の上部に表示パネルが搭載された状態が平面図として示されている。
【００６６】
以下、説明が冗長になるのを避けるために、様々な多機能キーパッド用表示装置１００、２００、３００のうち１つの多機能キーパッド用表示装置１００を代表例として説明する。
【００６７】
図４に示すように、メイン回路基板１２０の上部には、表示パネル１３０が搭載される。勿論、上記表示パネル１３０は、第２軟性印刷回路１３３を介して上記メイン回路基板１２０に電気的に接続される。
【００６８】
また、上記メイン回路基板１２０には、第１軟性印刷回路１２４を介して回路基板１４０が電気的に連結される。勿論、上記表示パネル１３０に形成された表示領域１３２と、上記回路基板１４０に形成された開口１４２は相互間に対応する位置に形成される。
【００６９】
図５には、本発明による多機能キーパッド用表示装置のうちメイン回路基板に表示パネル及び回路基板が順次に搭載された状態が平面図として示されている。
【００７０】
図５に示すように、メイン回路基板１２０の上部の上には、表示パネル１３０及び回路基板１４０が順次に搭載される。勿論、上記回路基板１４０は、第１軟性印刷回路１２４を介して上記メイン回路基板１２０に電気的に接続される。尚、上記回路基板１４０に形成された開口１４２を介して表示パネル１３０の表示領域１３２が外部に露出することができる。従って、使用者は、上記回路基板１４０に形成された開口１４２を介して上記表示領域１３２に表示される各種文字、数字、特殊文字、停止映像及び動画などを見てキー操作可能である。勿論、上記回路基板１４０は、上記開口１４２の外周縁にキー１４３が形成される。
【００７１】
図６には、本発明による多機能キーパッド用表示装置のうち表示パネルに形成された非表示領域及び表示領域が平面図として示されている。
【００７２】
図６に示すように、本発明では、表示パネル１３０が何も表示しない非表示領域１３１と、文字、数字、特殊文字、停止映像または動画を表示する表示領域１３２からなる。勿論、上記表示領域１３２は、行と列を有してマトリックス状に形成される。実質的に、上記表示領域１３２には、複数の画素１３２ａが形成され、上記非表示領域１３１には画素が形成されない。
【００７３】
このような構造によって本発明は、表示パネル１３０のサイズが比較的に大きくなっても電極抵抗と発光層のキャパシタンスがそれほど大きく増加しなくなる。
【００７４】
一例として、上記表示パネル１３０の全体の広さが２０ｃｍ２（例えば、４ｃｍ×５ｃｍ）であり、このうち１つの表示領域１３２の広さが１ｃｍ２であり、その個数が１２個であれば、全体表示領域１３２の広さは１２ｃｍ２になる。従って、２０ｃｍ２の広さを有する表示パネル１３０全体で電力が消費されるものではなく、実質的に１２ｃｍ２の表示領域１３２で電力が消費されるものである。即ち、消費電力に係わる表示パネル１３０の面積は２０ｃｍ２ではなくほぼ１２ｃｍ２と小面積化されている。
【００７５】
一方、図６で楕円形に表示した部分は、回路基板１４０のうちキー１４３に対応する領域を示したものである。即ち、使用者による圧力が加えられる回路基板１４０のキー１４３は、表示パネル１３０のうち表示領域１３２ではない非表示領域１３１に対応する領域である。つまり、上記表示パネル１３０のうち上記回路基板１４０のキー１４３に対応する領域は画素が形成されない領域である。
【００７６】
図７には、図１の７−７線の部分拡大断面図が示されている。
【００７７】
図７に示すように、表示パネル１３０のうち非表示領域１３１に対応する領域に配置されたキー１４３は、例えば、ドームスイッチ及びその等価物の中から選択されたいずれか１つであることができるが、ここでそのキー１４３の種類が限定されるものではない。即ち、図７に示されたキー１４３は、本発明の理解のための一例に過ぎず、このようなキー１４３に本発明が限定されるものではない。上記キー１４３は、回路基板１４０に形成された少なくとも１つの導電パターン１４３ａと、上記導電パターン１４３ａに接触及び分離可能な弾性部材１４３ｂからなることができる。勿論、上記弾性部材１４３ｂは、導電体または内側表面に導電層が形成された形態であることができる。また、図７には、上記回路基板１４０のうち上記キー１４３が形成された領域に凹溝１４５が形成されたように示されているが、このような凹溝１４５に本発明が限定されるものではない。即ち、上記凹溝１４５は必要に応じて形成されないこともある。
【００７８】
一方、上記回路基板１４０の上部に位置するパッド１５０は、多層構造であることができる。つまり、図面に示されたパッド１５０は、本発明の理解のための一例に過ぎず、このような図面で本発明が限定されるものではない。上記パッド１５０は、最下端に形成されて上記回路基板１４０またはキー１４３と接触する絶縁層１５５と、上記絶縁層１５５の上部に形成された薄い金属層１５６と、上記金属層１５６の上部において上記キー１４３に対応する領域に形成された加圧部１５３からなる。上記絶縁層１５５は、パッド１５０が上記回路基板１４０及びキー１４３の上部に安定的に密着されるようにし、上記金属層１５６は上記パッド１５０の剛性を確保し、上記加圧部１５３は使用者による加圧力を上記キー１４３に伝達する役割を有する。上記加圧部１５３は、通常、樹脂、金属及びその等価物の中から選択されたいずれか１つによって形成できるが、ここでその材質が限定されるものではない。尚、上記加圧部１５３は、上部に所定厚さが突出されていることによって、使用者によって容易に加圧されるようになっている。尚、上記パッド１５０の上部には、カバー１６０が搭載されていて上記カバー１６０に形成されたウインドウ１６２を介して上記パッド１５０の加圧部１５３が上部に露出する。ここで、上記加圧部１５３は、上記パッド１５０の外側に突出または突出されないように厚さが制御される。
【００７９】
図８には、本発明による多機能キーパッド用表示装置のうち表示パネルの電気的構成が概略ブロック図で示されている。
【００８０】
図８に示すように、表示パネル１３０は、非表示領域１３１と複数の表示領域１３２からなり、上記表示領域１３２には複数の画素１３２ａが形成される。尚、上記表示領域１３２には、第１電極１３０２及び第２電極１３０４が形成される。また、上記第１電極１３０２には、例えば、上記表示領域１３２にデータ信号を印加するデータドライバー１３０９が電気的に連結され、上記第２電極１３０４には例えば、上記表示領域１３２にスキャン信号を印加するスキャンドライバー１３１０が電気的に連結される。勿論、上記データドライバー１３０９は、ソースドライバー（ｓｏｕｒｃｅ  ｄｒｉｖｅｒ）またはコラムドライバー（ｃｏｌｕｍｎ  ｄｒｉｖｅｒ）といい、上記スキャンドライバー１３１０はゲートドライバー（ｇａｔｅ  ｄｒｉｖｅｒ）またはロードライバー（ｒｏｗ  ｄｒｉｖｅｒ）ということもできる。
【００８１】
上記のように本発明は、表示パネル１３０の全体に画素を形成することではない。即ち、選択された表示領域１３２のみ画素を形成するようになる。従って、表示パネル１３０の全体に表示領域１３２または画素を形成する場合より電力消耗量が少なく、また生産収率が向上される。勿論、これによって製造費用も減少する。
【００８２】
図面のうち楕円形の点線は、回路基板１４０に形成されたキー１４３が対応する領域である。示されたように、キー１４３は表示パネル１３０のうち非表示領域１３１に対応するために、キー１４３の操作時における表示領域１３２の損傷または表示品質の低下現象を防止することができる。
【００８３】
図９には、本発明による多機能キーパッド用表示装置の一例が示されている。
【００８４】
上記図９に示された多機能キーパッド用表示装置は、実際の大きさ、厚さ及び長さ等に正確に比例せず、本発明の理解のために誇張または単純化されている。一例として、図９に示された表示パネル１３００には１個の第１電極１３０２と、３個の発光層１３０３及び３個の第２電極１３０４が示されているが、実際にはこれより非常に多い個数または小さい個数に形成される。また、図９に示されたキー１４３は、長さがほぼ発光層１３０３または第２電極１３０４の長さと類似して示されているが、実際にはこれより非常に大きいとかまたは小さいことがある。尚、上記図９に示された表示パネル１３００は、受動マトリックス有機電界発光表示装置（Ｐａｓｓｉｖｅ  Ｍａｔｒｉｘ  Ｏｒｇａｎｉｃ  Ｌｉｇｈｔ  Ｅｍｉｔｔｉｎｇ  Ｄｉｓｐｌａｙ）を例として示したものであるが、このような装置で本発明が限定されるものではない。
【００８５】
図９に示された表示パネル１３００は、第１基板１３０１と、上記第１基板１３０１の上部に形成された第１電極１３０２と、上記第１電極１３０２の上部に形成された発光層１３０３と、上記発光層１３０３の上部に形成された第２電極１３０４と、側方に隣り合う上記第２電極１３０４と第２電極１３０４との相互間に形成された絶縁層１３０５と、上記絶縁層１３０５の上部に形成された第１セパレータ１３０６と、上記第２電極１３０４の外周縁に形成され、同時に、上記第１セパレータ１３０６の幅より大きい幅を有する一体の第２セパレータ１３０７とを含む。
【００８６】
ここで、上記第１電極１３０２、上記発光層１３０３、上記第２電極１３０４及び上記第１セパレータ１３０６が同時に形成された領域を表示領域１３２として定義することができる。また、上記発光層１３０３が形成されず、第１電極１３０２と、第２電極１３０４及び第２セパレータ１３０７のみ形成された領域を非表示領域１３１として定義することができる。従って、上記表示領域１３２を通して所定映像（様々な文字、数字、特殊記号、停止映像または動画）が表示されるが、上記非表示領域１３１においてはいずれの映像も出力されない。
【００８７】
上記第１基板１３０１は、ガラス、プラスチック樹脂、ナノ複合体、金属及びその等価物の中から選択されたいずれか１つであることができるが、ここでその種類が限定されるものではない。
【００８８】
上記第１電極１３０２は、上記第１基板１３０１の上に酸化シリコン層、窒化シリコン層または酸化窒化シリコン層が形成された後にその上に形成されるとか、上記第１基板１３０１上に直接形成される。このような第１電極１３０２は、ＩＴＯ（Ｉｎｄｕｉｍ  Ｔｉｎ  Ｏｘｉｄｅ；インジウム錫酸化物）、ＩＴＯ／Ａｇ、ＩＴＯ／Ａｇ／ＩＴＯ、ＩＴＯ／Ａｇ／ＩＺＯ（Ｉｎｄｕｉｍ  Ｚｉｎｃ  Ｏｘｉｄｅ；インジウム亜鉛酸化物）及びその等価物の中から選択された少なくともいずれか１つで形成できるが、本発明で上記第１電極１３０２の材質が限定されるものではない。しかし、上記第１電極１３０２は、仕事関数（ｗｏｒｋ  ｆｕｎｃｔｉｏｎ）が大きくて発光層１３０３に対する正孔注入障壁が低い材料のほう好ましい。尚、上記銀（Ａｇ）は、全面発光方式で発光層１３０３からの光が上面に反射されるようにする役割を有する。
【００８９】
上記発光層１３０３は、上記第１電極１３０２の上部に形成される。実質的に上記発光層１３０３は、赤色、緑色または青色の光を発光または単色の光を発光することができる。しかし、ここで上記発光層１３０３による光の色が限定されるものではない。また、上記発光層１３０３は、正孔の移動を容易にする正孔輸送層（Ｈｏｌｅ  Ｔｒａｎｓｐｏｒｔ  Ｌａｙｅｒ；ＨＴＬ）、電子と正孔が結合して励起子（ｅｘｃｉｔｏｎ）を形成して所定色に発光する有機発光層（ＥＭｉｔｔｉｎｇ  Ｌａｙｅｒ；ＥＭＬ）及び電子の移動を容易にする電子輸送層（Ｅｌｅｃｔｒｏｎ  Ｔｒａｎｓｐｏｒｔ  Ｌａｙｅｒ；ＥＴＬ）からなる。また、上記電子輸送層には、電子の注入効率を向上させる電子注入層（Ｅｌｅｃｔｒｏｎ  Ｉｎｊｅｃｔｉｎｇ  Ｌａｙｅｒ；ＥＩＬ）が形成され、上記正孔輸送層には正孔の注入効率を向上させる正孔注入層（Ｈｏｌｅ  Ｉｎｊｅｃｔｉｎｇ  Ｌａｙｅｒ；ＨＩＬ）がさらに形成される。しかし、このような層構造に発光層１３０３が限定されるものではない。
【００９０】
上記第２電極１３０４は、上記第１電極１３０２に交差する方向であると同時に、上記発光層１３０３の上面に形成される。このような第２電極１３０４は、Ａｌ、ＬｉＦ、ＭｇＡｇ合金、ＭｇＣａ合金及びその等価物の中から選択された少なくともいずれか１つであることができるが、本発明で上記第２電極１３０４の材質がそれらに限定されるものではない。但し、全面発光式を選択する場合、上記Ａｌは厚さを非常に薄くしなければならないが、その場合に抵抗が高くなって電子注入障壁が大きくなることがある。従って、上記Ａｌに比べて電子注入障壁が低いＬｉＦ、ＭｇＡｇ合金またはＭｇＣａ合金を第２電極１３０４に用いることが好ましい。
【００９１】
上記絶縁層１３０５は、側方に隣り合う上記発光層１３０３と発光層１３０３との間に形成され、上記発光層１３０３を物理的及び電気的にアイソレーション（ｉｓｏｌａｔｉｏｎ）させる役割を有する。このような絶縁層１３０５は、ポリイミド（ｐｏｌｙｉｍｉｄｅ）及びその等価物の中から選択されたいずれか１つに形成できるが、ここでその材質が限定されるものではない。
【００９２】
上記第１セパレータ１３０６は、側方に隣り合う上記第２電極１３０４と第２電極１３０４との間（上記発光層１３０３と発光層１３０３との間）に形成され、上記第２電極１３０４を物理的に分離させる役割を有する。このような第１セパレータ１３０６は、厚さが上記発光層１３０３の厚さより厚く形成されることによって、相隣接する上記第２電極１３０４と第２電極１３０４が確実に物理的に分離される。尚、このような第１セパレータ１３０６は、上辺が下辺より長い台形形状に形成できるが、このような形状にセパレータの形状が限定されるものではない。即ち、上記第１セパレータ１３０６は、下辺が上辺より長い台形形状または四角柱形状であることができる。尚、このような第１セパレータ１３０６は、フォトレジストの露光及び現像工程によって形成できるが、このような材質及び製造方法で本発明が限定されるものではない。
【００９３】
上記第２セパレータ１３０７は、表示領域１３２の外周縁に形成される。即ち、上記第２セパレータ１３０７は、発光層１３０３の外周縁にそれぞれ形成できる。このような第２セパレータ１３０７は、上記第１セパレータ１３０６の幅より大きい幅に形成される。実質的に、このような第２セパレータ１３０７によって非表示領域１３１が定義できる。即ち、上記発光層１３０３及び第１セパレータ１３０６が位置する領域が表示領域１３２に定義され、上記第２セパレータ１３０７が位置された領域が非表示領域１３１として定義される。一方、上記第１セパレータ１３０６及び第２セパレータ１３０７の上面にも第２電極１３０４ａがさらに形成できるが、このような第２電極１３０４ａで本発明が限定されるものではない。
【００９４】
一方、上記表示領域１３２及び非表示領域１３１をなす第１セパレータ１３０６及び第２セパレータ１３０７上には、透明基板である第２基板１３０８がさらに形成される。このような第２基板１３０８は、実質的に上記第１セパレータ１３０６及び第２セパレータ１３０７に接触または接触しないこともある。勿論、このような第２基板１３０８は、外部の湿気及びほこりなどが上記発光層１３０３に到達されないようにする。このような第２基板１３０８を封止基板と呼ぶこともある。
【００９５】
上記第２基板１３０８の上部に開口１４２及びキー１４３を有する回路基板１４０が配置される。実質的に、上記回路基板１４０の開口１４２は、上記表示パネル１３０に形成された表示領域１３２の大きさとほぼ同一である。また、上記回路基板１４０の上部に透明ウインドウ１５２及び加圧部１５３を有するパッド１５０が位置される。実質的に、上記パッド１５０の透明ウインドウ１５２は、上記回路基板１４０の開口１４２の大きさとほぼ同一である。尚、上記パッド１５０の上部にウインドウ１６２を有するカバー１６０が配置される。実質的に、上記カバー１６０のウインドウ１６２は、上記パッド１５０の透明ウインドウ１５２と加圧部１５３を合した大きさとほぼ同一である。つまり、上記パッド１５０に形成された加圧部１５３は、上記カバー１６０のウインドウ１６２を通じて外部に露出される。尚、上記開口１４２と、上記透明ウインドウ１５２及び上記ウインドウ１６２のうち少なくともいずれか１つは表示領域１３２を外部環境から積極的に保護するために透明樹脂、透明ガラス及びその等価物の中から選択されたいずれか１つによって閉塞にされる。勿論、閉塞されないこともある。
【００９６】
上述のように本発明では、表示パネル１３００が非表示領域１３１と表示領域１３２に分けられ、上記回路基板１４０に形成されたキー１４３は上記表示パネル１３０のうち非表示領域１３１に対応する領域に位置される。実質的に、上記回路基板１４０のキー１４３は上記第２セパレータ１３０７に対応する領域に形成される。このような第２セパレータ１３０７は、上述のように表示領域１３２に形成された発光層１３０３の厚さより厚く、また表示領域１３２に形成された第１セパレータ１３０６の幅より広く形成されている。従って、使用者がパッド１５０の加圧部１５３を押して上記キー１４３が加圧されても上記第２基板１３０８及びその下部の第２セパレータ１３０７がその圧力を充分に吸収、緩衝及び支持するようになる。よって、使用者のキー操作にもかかわらず、上記表示領域１３２の損傷や表示品質低下現象は発生しない。
【００９７】
図面のうち未説明の符号１３４は、表示パネル１３００をなす第１基板１３０１の下に位置するベゼルであり、未説明符号１２０はベゼル１３４の下に位置するメイン回路基板であり、未説明符号１１０はメイン回路基板１２０の下に位置するケースである。このような構成要素については既に上述したので、これ以上の説明は省略する。
【００９８】
図１０には、本発明による多機能キーパッド用表示装置の他の例が断面図として示されている。
【００９９】
上記図１０に示された多機能キーパッド用表示装置は、実際の大きさ、厚さ及び長さに比例せず、本発明の理解のために誇張または単純化（キャパシタを含むが、省略される）して示されている。一例として、図１０には、３個のトランジスタ２３０２と、３個の第１電極２３０４と、３個の発光層２３０５及び１個の第２電極２３０６が示されているが、実際にはこれより非常に多い個数または小さい個数に形成される。また、図１０に示された回路基板１４０のキー１４３の長さは、第１電極２３０４または発光層２３０５の長さと類似して示されているが、実際にはこれより非常に大きいとかまたは小さいことがある。尚、上記図１０に示された表示パネル２３００は、能動マトリックス有機電界発光表示装置（Ａｃｔｉｖｅ  Ｍａｔｒｉｘ  Ｏｒｇａｎｉｃ  Ｌｉｇｈｔ  Ｅｍｉｔｔｉｎｇ  Ｄｉｓｐｌａｙ）であることができるが、このような装置で本発明が限定されるものではない。
【０１００】
図１０に示されたように、表示パネル２３００は、第１基板２３０１と、上記第１基板２３０１の上部に形成されたトランジスタ２３０２と、上記トランジスタ２３０２の上部に形成された絶縁層２３０３と、上記トランジスタ２３０２に電気的に連結された第１電極２３０４と、上記第１電極２３０４の上部に形成された発光層２３０５と、上記発光層２３０５の上部に形成された第２電極２３０６と、各画素を定義する第１画素定義層２３０７と、上記第１画素定義層２３０７の外郭に形成された第２画素定義層２３０８とを含む。
【０１０１】
ここで、上記３個の第１電極２３０４と、３個の発光層２３０５と、１個の第２電極２３０６及び３個の画素定義層２３０７が形成された領域を表示領域１３２として定義することができ、上記発光層２３０５がなくて第２画素定義層２３０８のみ形成された領域を非表示領域１３１として定義することができる。
【０１０２】
上記第１基板２３０１は、ガラス、プラスチック樹脂、ナノ複合体、金属及びその等価物の中から選択されたいずれか１つであることができるが、ここでその材質が限定されるものではない。
【０１０３】
上記トランジスタ２３０２は、上記第１基板２３０１の上に酸化シリコン層、窒化シリコン層または酸化窒化シリコン層が形成された後にその上に形成または上記第１基板２３０１の上に直接形成される。このようなトランジスタ２３０２は、実質的に薄膜トランジスタであることができ、両側にあるソース／ドレイン領域２３０２ａ及びその間にあるチャネル領域２３０２ｂを有することができる。勿論、上記トランジスタ２３０２の表面には、ゲート絶縁膜２３０２ｃが形成され、上記チャネル領域２３０２ｂに対応する領域にゲート電極２３０２ｄが形成される。また、上記ゲート電極２３０２ｄを覆って誘電層２３０２ｅが形成され、上記誘電層２３０２ｅの上部に上記ソース／ドレイン領域２３０２ａと電気的に連結されるソース／ドレイン電極２３０２ｆがそれぞれ形成される。ここで、上記トランジスタ２３０２は、従来のすべての薄膜トランジスタの構造を例に挙げれば、インバーテッド・コープレーナ構造（ｉｎｖｅｒｔｅｄ  ｃｏｐｌａｎａｒ  ｓｔｒｕｃｔｕｒｅ）、ジグザグ型であるスタガード構造（ｓｔａｇｇｅｒｅｄ  ｓｔｒｕｃｔｕｒｅ）、逆転ジグザグ型であるインバーテッド・スタガード構造（ｉｎｖｅｒｔｅｄ  ｓｔａｇｇｅｒｅｄ  ｓｔｒｕｃｔｕｒｅ）及びその等価構造の中から選択された少なくともいずれか１つが可能であり、本発明で上記トランジスタ２３０２の構造が限定されるものではない。
【０１０４】
上記絶縁層２３０３は、上記トランジスタ２３０２の表面に形成される。このような絶縁層２３０３は、外部から上記トランジスタ２３０２に水分が浸透されないようにすることと共に、表面を平坦化する役割を有する。このような絶縁層２３０３は、有機層、無機層及びその等価物の中から選択されたいずれか１つまたは混合物であることができるが、ここでその材質が限定されるものではない。
【０１０５】
上記第１電極２３０４は、上記絶縁層２３０３に形成でき、これは上記トランジスタ２３０２のうちソース／ドレイン電極２３０２ｆと電気的に連結される。このような第１電極２３０４は、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つに形成できるが、本発明で上記第１電極２３０４の材質が限定されるものではない。このような第１電極２３０４について上述したので、これ以上の説明は省略する。
【０１０６】
上記発光層２３０５は、上記第１電極２３０４の上部に形成される。このような発光層２３０５は、実質的に正孔輸送層、有機発光層及び電子輸送層からなる。このような発光層２３０５も上述したので、これ以上の説明は省略する。
【０１０７】
上記第２電極２３０６は、上記発光層２３０５の上部に形成される。このような第２電極２３０６は、Ａｌ、ＬｉＦ、ＭｇＡｇ合金、ＭｇＣａ合金及びその等価物の中から選択されたいずれか１つであることができるが、本発明で上記第２電極２３０６の材質が限定されるものではない。このような第２電極２３０６も上述したので、これ以上の説明は省略する。
【０１０８】
上記第１画素定義層２３０７は、側方に隣り合う上記発光層２３０５と発光層２３０５との間に形成され、上記発光層２３０５が物理的及び電気的にアイソレーションされるようにする役割を有する。このような第１画素定義層２３０７は、厚さが上記発光層２３０５の厚さより厚く形成されることによって、相隣接する上記発光層２３０５と発光層２３０５が確実に物理的及び電気的に分離されるようにする。尚、このような第１画素定義層２３０７は、上辺が下辺より短い台形形状に形成できるが、このような形状に本発明が限定されるものではない。尚、このような第１画素定義層２３０７は、ポリイミドの露光及び現象工程によって形成できるが、ここでその材質及び製造方法が限定されるものではない。
【０１０９】
上記第２画素定義層２３０８は、表示領域１３２をなす発光層２３０５の外周縁に形成される。このような第２画素定義層２３０８は、上記第１画素定義層２３０７の幅よりは大きな幅に形成される。実質的に、このような第２画素定義層２３０８によって非表示領域１３１が定義される。即ち、上記第１電極２３０４、発光層２３０５及び第１画素定義層２３０７が表示領域１３２として定義され、上記第２画素定義層２３０８が非表示領域１３１として定義される。一方、上記第１画素定義層２３０７及び第２画素定義層２３０８の上面にも共通の第２電極２３０６が形成できるが、このような構造に本発明が限定されるものではない。
【０１１０】
一方、上記非表示領域１３１及び表示領域１３２をなす第１画素定義層２３０７及び第２画素定義層２３０８の上部には、透明基板である第２基板２３０９が形成される。このような第２基板２３０９は、実質的に上記第１画素定義層２３０７及び第２画素定義層２３０８に接触または接触しないこともある。勿論、このような第２基板２３０９は、外部の湿気及びほこりなどが上記発光層２３０５に到達されないようにする役割を有する。
【０１１１】
ここで、上記第２基板２３０９の上部に開口１４２及びキー１４３を有する回路基板１４０が配置され、上記回路基板１４０の上部に透明ウインドウ１５２及び加圧部１５３を有するパッド１５０が配置され、上記パッド１５０の上部にカバー１６０が配置される。このような構造は、上述の構造と同一であるため、詳しい説明は省略する。
【０１１２】
また、上述のように本発明では、表示パネル２３００が非表示領域１３１と表示領域１３２に分けられるが、上記回路基板１４０に形成されたキー１４３は上記表示パネル２３００のうち非表示領域１３１に対応する位置に配置される。実質的に、上記回路基板１４０のキー１４３は、上記第２画素定義層２３０８に対応する領域に形成される。このような第２画素定義層２３０８は、上述のように表示領域１３２に形成された発光層２３０５の厚さより厚く形成され、また表示領域１３２に形成された第１画素定義層２３０７の幅より広く形成されている。従って、使用者がパッド１５０の加圧部１５３を押して上記キー１４３が加圧されても上記第２基板２３０９及びその下部の第２画素定義層２３０８がその圧力を吸収、緩衝及び支持するようになる。よって、使用者が上記キー１４３を過度に加圧しても上記表示領域１３２が損傷されたり、表示品質が低下されたりしない。
【０１１３】
図面のうち未説明符号１３４は、表示パネル２３００をなす第１基板２３０１の下に位置するベゼルであり、未説明符号１２０はベゼル１３４の下に位置するメイン回路基板であり、未説明符号１１０はメイン回路基板１２０の下に位置するケースである。
【０１１４】
図１１には、本発明による多機能キーパッド用表示装置の他の例が断面図として示されている。
【０１１５】
図１１に示された多機能キーパッド用表示装置は、実際の大きさ、厚さ及び長さに比例せず、本発明の理解のために誇張または単純化（キャパシタを含むが、省略する）されている。一例として、図１１には、３個のトランジスタ３３０２と、３個の第１電極３３０３と、３個の液晶３３０４と、１個の第２電極３３０５が示されているが、実際にはこれより非常に多い個数または小さい個数に形成される。また、図１１に示された回路基板１４０のキー１４３の幅は、１つのカラーフィルタ３３０６の幅と類似して示されているが、実際にはこれより非常に大きいまたは小さいことがある。尚、上記図１１に示された表示パネル３３００は、液晶表示装置（Ｌｉｑｕｉｄ  Ｃｒｙｓｔａｌ  Ｄｉｓｐｌａｙ）であることができるが、このような装置に本発明が限定されるものではない。
【０１１６】
先ず、図１１に示すように表示パネル３３００は、第１基板３３０１と、上記第１基板３３０１に形成されたトランジスタ３３０２と、上記トランジスタ３３０２に電気的に連結された第１電極３３０３と、上記第１電極３３０３の上に形成された液晶３３０４と、上記液晶３３０４の上に形成された第２電極３３０５と、上記第２電極３３０５の上に位置するカラーフィルタ３３０６と、各画素を定義する第１スペーサ３３０７と、上記第１スペーサ３３０７の外郭に形成された第２スペーサ３３０８とを含む。ここで、上記３個のトランジスタ３３０２と、３個の第１電極３３０３と、３個の液晶３３０４と、１個の第２電極３３０５と、３個のカラーフィルタ３３０６及び３個の第１スペーサ３３０７が形成された領域を表示領域１３２として定義することができ、上記第２スペーサ３３０８が形成された領域を非表示領域１３１として定義することができる。
【０１１７】
上記第１基板３３０１は、ガラス、プラスチック樹脂、ナノ複合体、金属及びその等価物の中から選択されたいずれか１つであることができるが、ここでその材質が限定されるものではない。
【０１１８】
上記トランジスタ３３０２は、上記第１基板３３０１の上に酸化シリコン層、窒化シリコン層または酸化窒化シリコン層が形成された後にその上に形成されるとか、または上記第１基板３３０１の上に直接形成される。一例として、第１基板３３０１の表面にゲート電極３３０２ａが形成され、その表面にはゲート絶縁膜３３０２ｂが形成される。上記ゲート絶縁膜３３０２ｂの上には、両側配置のソース／ドレイン領域３３０２ｃ及びその間のチャネル領域３３０２ｄが形成される。また、上記ソース／ドレイン領域３３０２ｃ及びチャネル領域３３０２ｄの表面には、絶縁層３３０２ｅが形成される。また、上記絶縁層３３０２ｅの上には、ソース／ドレイン電極３３０２ｆが上記ソース／ドレイン領域３３０２ｃに電気的に連結される。このような構造のトランジスタ３３０２は、実質的に薄膜トランジスタであることができ、その構造は非常に多様に存在するが、ここでそのトランジスタ３３０２の構造が限定されるものではない。
【０１１９】
上記第１電極３３０３は、上記トランジスタ３３０２のソース／ドレイン電極３３０２ｆに電気的に連結される。このような第１電極３３０３は、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つによって形成できるが、本発明で上記第１電極３３０３の材質が限定されるものではない。このような第１電極３３０３について上述したので、これ以上の説明は省略する。
【０１２０】
上記液晶３３０４は、上記第１電極３３０３の上に形成される。このような液晶３３０４は、周知のように上記第１電極３３０３と第２電極３３０５との間に形成される電場の強さによって結晶方向が変わることで、バックライト（ｂａｃｋ  ｌｉｇｈｔ）からの光透過率を変化させる役割を有する。
【０１２１】
上記第２電極３３０５は、上記第１電極３３０３に対向する上部領域に形成される。このような第２電極３３０５は、実質的にすべての画素に共通に連結され、これはＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つによって形成できるが、本発明で上記第２電極３３０５の材質が限定されるものではない。このような第２電極３３０５について上述したので、これ以上の説明は省略する。
【０１２２】
上記カラーフィルタ３３０６は、上記第２電極３３０５の上に形成される。このようなカラーフィルタ３３０６は、バックライトからの光によって外部に赤色、緑色または青色の光が透過されるようにする役割を有する。勿論、このようなカラーフィルタ３３０６には、赤色、緑色及び青色別に区分されるようにブラックマトリックス３３０５ａが形成される。
【０１２３】
上記第１スペーサ３３０７は、第１基板３３０１と第２基板３３０９との間に位置され、上記第１基板３３０１と第２基板３３０９が適切な距離を維持するようにする役割を有する。
【０１２４】
上記第２スペーサ３３０８は、上記第１スペーサ３３０７の最外郭に形成される。このような第２スペーサ３３０８は、幅が上記第１スペーサ３３０７の幅より大きく形成できる。即ち、上記複数の第１スペーサ３３０７をなす領域は表示領域１３２になり、上記第２スペーサ３３０８をなす領域は非表示領域１３１になることができる。
【０１２５】
一方、上記表示領域１３２及び非表示領域１３１をなす第１スペーサ３３０７及び第２スペーサ３３０８の上部には、透明基板である第２基板３３０９が形成される。このような第２基板３３０９は、実質的に上記第１スペーサ３３０７及び第２スペーサ３３０８に接触または接触しないこともある。勿論、このような第２基板３３０９は、外部の湿気及びほこりなどが上記液晶３３０４に到達されないようにする役割を有する。
【０１２６】
ここで、上記第２基板３３０９の上に開口１４２及びキー１４３を有する回路基板１４０が配置され、上記回路基板１４０の上に透明ウインドウ１５２及び加圧部１５３を有するパッド１５０が配置され、上記パッド１５０の上にカバー１６０が設けられる。
【０１２７】
また、上述のように本発明では、表示パネル３３００が非表示領域１３１と表示領域１３２に分けられるが、上記回路基板１４０に形成されたキー１４３は上記表示パネル３３００のうち非表示領域１３１に対応する位置に配置される。実質的に上記回路基板１４０のキー１４３は、上記第２スペーサ３３０８の上に形成される。このような第２スペーサ３３０８は、上述のように表示領域１３２に形成された第１スペーサ３３０７の幅より広く形成されている。従って、使用者がパッド１５０の加圧部１５３を押して上記キー１４３が加圧されても上記第２基板３３０９及びその下部の第２スペーサ３３０８がその圧力を吸収、緩衝及び支持するようになる。よって、使用者が上記キー１４３を過度に加圧しても、上記表示領域１３２が損傷されたり、表示品質が低下されたりしない。
【０１２８】
図面のうち未説明符号３３１０は、表示パネル３３００をなす第１基板３３０１の下に位置するバックライトであり、未説明符号１３４はバックライト３３１０の下に位置するベゼルであり、未説明符号１２０はベゼル１３４の下に位置するメイン回路基板であり、未説明符号１１０はメイン回路基板１２０の下に位置するケースである。
【０１２９】
図１２ａ及び図１２ｂには、本発明による多機能キーパッド用表示装置を有する電子機器の例が斜視図としてそれぞれ示されている。
【０１３０】
図１２ａ及び図１２ｂに示すように、本発明による多機能キーパッド用表示装置１００（勿論、多機能キーパッド用表示装置２００、３００も可能）は、メイン表示パネル４０３を有する電子機器４０１、４０２に適用できる。
【０１３１】
より詳しく、図１２ａに示すように、電子機器４０１はフォルダ型携帯電話機であることができる。このような電子機器４０１は、メイン表示パネル４０３の他にも多機能キーパッド用表示装置に表示パネル１３０が備えられていることにより、総２個の表示パネルを有する。また、図１２ｂに示すように、電子機器４０２はスライド型携帯電話機であることができる。このような電子機器４０２もメイン表示パネル４０３の他にも多機能キーパッド用表示装置に表示パネル１３０がさらに備えられている。従って、総２個の表示パネルを有する。
【０１３２】
この他にも本発明による多機能キーパッド用表示装置１００は、ＭＰ３プレーヤー、カーオディオ、オートコンソール、ＰＤＡ、その他の産業用ディスプレーなどの様々な分野に適用できるが、本発明で上記多機能キーパッド用表示装置１００が適用される電子機器４０１、４０２の種類が限定されるものではない。
【０１３３】
以上、本発明は、上述した特定の好適な実施例に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【図面の簡単な説明】
【０１３４】
【図１ａ】本発明の一実施形態による多機能キーパッド用表示装置を示した組立外観の斜視図である。
【図１ｂ】図１ａに示された多機能キーパッド用表示装置の分解斜視図である。
【図２ａ】本発明の他の実施形態による多機能キーパッド用表示装置を示した組立外観の斜視図である。
【図２ｂ】図２ａに示された多機能キーパッド用表示装置の分解斜視図である。
【図３ａ】本発明の他の実施形態による多機能キーパッド用表示装置を示した組立外観の斜視図である。
【図３ｂ】図３ａに示された多機能キーパッド用表示装置の分解斜視図である。
【図４】本発明による多機能キーパッド用表示装置のうちメイン回路基板上に表示パネルが搭載された状態を示した平面図である。
【図５】本発明による多機能キーパッド用表示装置のうちメイン回路基板に表示パネル及び回路基板が順次に搭載された状態を示した平面図である。
【図６】本発明による多機能キーパッド用表示装置のうち表示パネルに形成された表示領域及び非表示領域を示した概略平面図である。
【図７】図１の７−７線の部分断面図である。
【図８】本発明による多機能キーパッド用表示装置のうち表示パネルの電気的構成を示した概路図である。
【図９】本発明による多機能キーパッド用表示装置の一例を示した断面図である。
【図１０】本発明による多機能キーパッド用表示装置の他の一例を示した断面図である。
【図１１】本発明による多機能キーパッド用表示装置の他の一例を示した断面図である。
【図１２ａ】本発明による多機能キーパッド用表示装置を有する電子機器の一例を示した概略斜視図である。
【図１２ｂ】本発明による多機能キーパッド用表示装置を有する電子機器の他の一例を示した概略斜視図である。
【符号の説明】
【０１３５】
１００、２００、３００…多機能キーパッド用表示装置
１１０…ケース
１１１…底面
１１２…側壁
１２０…メイン回路基板
１２１…基板体
１２２…能動素子
１２３…受動素子
１２４…第１軟性印刷回路
１２５…コネクター
１３０…表示パネル
１３１…非表示領域
１３２…表示領域
１３３…第２軟性印刷回路
１３４…ベゼル
１３０１…第１基板
１３０２…第１電極
１３０３…発光層
１３０４…第２電極
１３０５…絶縁層
１３０６…第１セパレータ
１３０７…第２セパレータ
１３０８…第２基板
１３０９…データドライバー
１３１０…スキャンドライバー
１４０…回路基板
１４１…基板体
１４２…開口
１４３、１４４…キー
１４３ａ…導電パターン
１４３ｂ…弾性部材
１４５…凹溝
１５０…パッド
１５１…パッド体
１５２…透明ウインドウ
１５３、１５４…加圧部
１５５…絶縁層
１５６…金属層
１６０…カバー
１６１…カバー体
１６２、１６３…ウインドウ
４０１、４０２…多機能キーパッド用表示装置を有する電子機器
４０３…メイン表示パネル
【図１ａ】
2008269605.tif 000003
【図１ｂ】
2008269605.tif 000004
【図２ａ】
2008269605.tif 000005
【図２ｂ】
2008269605.tif 000006
【図３ａ】
2008269605.tif 000007
【図３ｂ】
2008269605.tif 000008
【図４】
2008269605.tif 000009
【図５】
2008269605.tif 000010
【図６】
2008269605.tif 000011
【図７】
2008269605.tif 000012
【図８】
2008269605.tif 000013
【図９】
2008269605.tif 000014
【図１０】
2008269605.tif 000015
【図１１】
2008269605.tif 000016
【図１２ａ】
2008269605.tif 000017
【図１２ｂ】
2008269605.tif 000018